(57)【要約】【課題】照明効率に秀れ且つ均一にパネル照明することができる、収納ボックスを提供する。【解決手段】パネル部２は、半透明の導光部材であり、光源支持部３は、パネル部２の開閉に連動して、パネル閉状態では光源３１ａ〜３１ｃがパネル部２に設けられた受光部２１ａ〜２１ｃに対向し、パネル開状態では光源３１ａ〜３１ｃが収納部１の内壁に対向するように、パネル部２との間に介設されている。このため、パネル閉状態では、光源３１ａ〜３１ｃから与えられる光はパネル部２内を導光されて、これによりパネル部２全体が照明される。また、パネル開状態では同光源３１ａ〜３１ｃからの直接光により収納部１内部が照明される。【選択図】図１
2005297765.tif 000002
【特許請求の範囲】
【請求項１】
前方に開口部を有する箱状の収納部と、
前記開口部に開閉自在に覆設されるパネル部と、
前記収容部及び前記パネル部に照明光を与えるための光源を支持する光源支持部と、
を含み、
前記パネル部は、
半透明の導光部材であり、
前記光源支持部は、
前記パネル部の開閉に連動して、
前記パネル部の閉状態では前記光源が前記パネル部に設けられた受光部に対向し、
前記パネル部の開状態では前記光源が前記収納部の内壁に対向するように、
前記パネル部との間に介設されている、
ことを特徴とする収納ボックス。
【請求項２】
請求項１記載の収納ボックスにおいて、
前記受光部は、
前記パネル部の上端部に複数突設され、
前記光源は、
前記閉状態において前記受光部に対応するように、前記光源支持部に複数配設されている、
ことを特徴とする収納ボックス。
【請求項３】
請求項２記載の収納ボックスにおいて、
前記光源支持部は、
前記収納部に軸支されると共に、前記開閉をガイドするためのガイドピン、を含み、
前記収納部は、
前記ガイドピンを、前記開閉にしたがって前記パネル部を前記閉状態及び前記開状態の間でスライドさせるガイドスリット、を含む、
ことを特徴とする収納ボックス。
【請求項４】
請求項１〜３のいずれか一項に記載の収納ボックスにおいて、
車室内のインストルメントパネルに埋設される、
ことを特徴とする収納ボックス。
【発明の詳細な説明】
【技術分野】
【０００１】
本発明は、車室内のインストルメントパネル等に埋設される収納ボックスに関し、特に、照明付きの収納ボックスに関する。
【背景技術】
【０００２】
近年、車室内の前方にあるインストルメントパネル等には、照明付きの収納ボックスが埋設されることがある。図６及び図７はそれぞれ、従来のこの種の収納ボックスのパネル閉状態を示す正面図及びパネル開状態を示す平面図である。
【０００３】
図６及び図７に示すように、従来の収納ボックスは、例えば、車室内のインストルメントパネルに埋設され、前方に開口部を有する箱状の収納部９１と、収納部９１の開口部に開閉自在に覆設される半透明板状のパネル部９２と、から構成される。詳しくは、パネル部９２は、腕部９２２ａ、９２２ｂ及び腕部９２２ａ、９２２ｂに取り付けられた回転軸部９２５ａ、９２５ｂを有している。また、収納部９１の内上壁には、光源９３１ａ、９３１ｂが下向きに配設されている。
【０００４】
このような構成において、光源９３１ａ、９３１ｂは、例えば、ライトスイッチのオンに連動して点灯する。そして、図６に示すように、パネル部９２が閉じられた状態であるパネル閉状態においては、光源９３１ａ、９３１ｂから直接光Ｒ３の木漏れ日を利用して、パネル部９２が内側から照明される。また、図７に示すように、パネル部９２が開かれた状態であるパネル開状態においては、光源９３１ａ、９３１ｂからの直接光Ｒ３を利用して、パネル部９２の内側が照明される。
【０００５】
なお、このような収納ボックスは、下記特許文献１にも開示されている。
【特許文献１】特開２００３−３４１４０７号公報
【発明の開示】
【発明が解決しようとする課題】
【０００６】
しかしながら、上記従来の収納ボックスは、図６に示すようなパネル閉状態においては、パネル部９２は、光源９３１ａ、９３１ｂからの直接光Ｒ３の木漏れ日を利用して照明されるのみである。すなわち、従来の収納ボックスでは、照明効率がよくなかった。また、同じく閉状態においては、パネル部９２の裏側から与えられる光源９３１ａ、９３１ｂからの直接光Ｒ３が、パネル部９２に浮き出したように見える場合があった。すなわち、従来の収納ボックスでは、照明が不均一になる傾向があった。
【０００７】
よって本発明は、上述した現状に鑑み、照明効率に秀れ且つ均一にパネル照明することができる、収納ボックスを提供することを課題としている。
【課題を解決するための手段】
【０００８】
上記課題を解決するためになされた請求項１記載の収納ボックスは、前方に開口部を有する箱状の収納部と、前記開口部に開閉自在に覆設されるパネル部と、前記収容部及び前記パネル部に照明光を与えるための光源を支持する光源支持部と、を含み、前記パネル部は、半透明の導光部材であり、前記光源支持部は、前記パネル部の開閉に連動して、前記パネル部の閉状態では前記光源が前記パネル部に設けられた受光部に対向し、前記パネル部の開状態では前記光源が前記収納部の内壁に対向するように、前記パネル部との間に介設されている、ことを特徴とする。
【０００９】
請求項１記載の発明によれば、パネル部は、半透明の導光部材であり、光源支持部は、パネル部の開閉に連動して、パネル閉状態では光源がパネル部に設けられた受光部に対向し、パネル開状態では光源が収納部の内壁に対向するように、パネル部との間に介設されている。このため、パネル閉状態では、光源から与えられる光はパネル部内を導光されて、これによりパネル部全体が照明される。また、パネル開状態では同光源からの直接光により収納部内部が照明される。
【００１０】
上記課題を解決するためになされた請求項２記載の収納ボックスは、請求項１記載の収納ボックスにおいて、前記受光部は、前記パネル部の上端部に複数突設され、前記光源は、前記閉状態において前記受光部に対応するように、前記光源支持部に複数配設されている、ことを特徴とする。
【００１１】
請求項２記載の発明によれば、受光部は、パネル部の上端部に複数突設され、光源は、閉状態において受光部に対応するように、光源支持部に複数配設されているので、照明効率が高くなるうえにパネル照明が均一になる。
【００１２】
上記課題を解決するためになされた請求項３記載の収納ボックスは、請求項２記載の収納ボックスにおいて、前記光源支持部は、前記収納部に軸支されると共に、前記開閉をガイドするためのガイドピン、を含み、前記収納部は、前記ガイドピンを、前記開閉にしたがって前記パネル部を前記閉状態及び前記開状態の間でスライドさせるガイドスリット、を含む、ことを特徴とする。
【００１３】
請求項３記載の発明によれば、光源支持部は、収納部に軸支されると共に、開閉をガイドするためのガイドピンを含み、収納部は、ガイドピンを開閉にしたがってパネル部を閉状態及び開状態の間でスライドさせるガイドスリットを含んでいるので、パネル部の開閉が円滑になる。
【００１４】
上記課題を解決するためになされた請求項４記載の収納ボックスは、請求項１〜３のいずれか一項に記載の収納ボックスにおいて、車室内のインストルメントパネルに埋設される、ことを特徴とする。
【００１５】
請求項４記載の発明によれば、車室内のインストルメントパネルに埋設されるので、効率的に、収納ボックス内部や車室前方が照明される。
【発明の効果】
【００１６】
請求項１記載の発明によれば、パネル部は、半透明の導光部材であり、光源支持部は、パネル部の開閉に連動して、パネル閉状態では光源がパネル部に設けられた受光部に対向し、パネル開状態では光源が収納部の内壁に対向するように、パネル部との間に介設されている。このため、パネル閉状態では、光源から与えられる光はパネル部内を導光されて、これによりパネル部全体が照明される。また、パネル開状態では同光源からの直接光により収納部内部が照明される。したがって、照明効率に秀れ且つ均一なパネル照明が提供される。
【００１７】
請求項２記載の発明によれば、受光部は、パネル部の上端部に複数突設され、光源は、閉状態において受光部に対応するように、光源支持部に複数配設されている。したがって、より照明効率に秀れ且つ均一なパネル照明が提供される。
【００１８】
請求項３記載の発明によれば、光源支持部は、収納部に軸支されると共に、開閉をガイドするためのガイドピンを含み、収納部は、ガイドピンを開閉にしたがってパネル部を閉状態及び開状態の間でスライドさせるガイドスリットを含んでいる。したがって、パネル部の開閉を安定的に円滑に行うことができる。
【００１９】
請求項４記載の発明によれば、車室内のインストルメントパネルに埋設されるので、効率的に、収納ボックス内部や車室前方が照明される。また、高級感のあるイルミネーションとしても利用可能になる。
【発明を実施するための最良の形態】
【００２０】
以下、本発明の実施の形態を図面に基づいて説明する。図１及び図２はそれぞれ、本発明の一実施形態の収納ボックスのパネル閉状態を示す正面図及び側面図である。図３及び図４はそれぞれ、本発明の一実施形態の収納ボックスのパネル開状態を示す正面図及び側面図である。
【００２１】
図１〜図４に示すように、この収納ボックスは、例えば、車室内のインストルメントパネルに埋設され、前方に開口部を有する箱状の収納部１と、収納部１の開口部に開閉自在に覆設されるパネル部２と、収容部１及びパネル部２に照明光を与えるための光源３１ａ〜３１ｃを支持する光源支持部３と、を含んで構成される。
【００２２】
収納部１は、黒系色の樹脂製であり、上壁を構成する壁板１１、両内壁面にそれぞれ設けられたガイドスリット１２ａ、１２ｂを有している。ガイドスリット１２ａ、１２ｂは、後述のガイドピン３２ａ、３２ｂを、パネル開閉にしたがってパネル部２を閉状態及び開状態の間でスライドさせるように、円弧状にくりぬかれて形成されている。壁板１１には、光源３１ａ〜３１ｃに対応する孔１１ａ〜１１ｃが穿設されている（孔１１ａ、１１ｂは不図示）。
【００２３】
パネル部２の主要部分は、半透明の樹脂製の導光板で構成されている。パネル部２は、正面からみると、収納部１の開口部と略同形状かやや大きめに形成されている。パネル部２の上端部には、等間隔で台形状の複数の受光部２１ａ〜２１ｃが突設されている。パネル部２の主要部分には、上腕部２２ａ、２２ｂ、後片部２６ａ、２６ｂが連結されている。上腕部２２ａ、２２ｂには回転軸２３ａ、２３ｂが突設され、後片部２６ａ、２６ｂにはガイドピン２４ａ、２４ｂ、回転軸２５ａ、２５ｂが突設されている。なお、ガイドピン２４ａ、回転軸２５ａは、ここでは、ガイドピン２４ｂ、回転軸２５ｂと対になるものであるが、ここでは、図示していない。
【００２４】
光源支持部３は、黒系色の所定厚の板状の樹脂製であり、複数の光源３１ａ〜３１ｃが配設されている。詳しくは、複数の光源３１ａ、３１ｂ、３１ｃはそれぞれ、パネル閉状態において、受光部２１ａ、２１ｂ、２１ｃに対向するように、光源支持部３上に配設されている。光源３１ａ〜３１ｃは、例えば、周知のＬＥＤが用いられる。光源支持部３には、上記回転軸２３ａ、２３ｂが挿通されると共に、他端には、上記ガイドスリット１２ａ、１２ｂにガイドされるガイドピン３２ａ、３２ｂが突設されている。なお、ｎ１〜ｎ４は、光源３１ａ〜３１ｃに関する部材等を固定するネジである。
【００２５】
このような構成の収納ボックスの作用を図５を加えて説明する。図５は、パネル部の開閉動作を説明するための側面図である。なお、図５は、図４に対応する側面図である。
【００２６】
まず、光源３１ａ〜３１ｃは、例えば、ライトスイッチのオンに連動して点灯する。図１、図２に示すように、パネル部２が閉じられた状態であるパネル閉状態においては、光源支持部３のガイドピン３２ａ、３２ｂは、ガイドスリット１２ａ、１２ｂの上端部に維持され、これにより光源３１ａ〜３１ｃは下を向いて、受光部２１ａ〜２１ｃに対向する。そして、光源３１ａ〜３１ｃからの光はそれぞれ、受光部２１ａ〜２１ｃにて受光された後、点線矢印Ｒ１で示すように、導光板でもあるパネル部２内を進行する。
【００２７】
このように、パネル閉状態においては、光源３１ａ〜３１ｃからの光はそれぞれ、受光部２１ａ〜２１ｃにて受光された後、パネル部２内を進行していくため、パネル部２全体が均等に照明される。光源３１ａ〜３１ｃからの光はそれぞれ、突設された受光部２１ａ〜２１ｃにて受光されるので、光が無駄になることがない。すなわち、非常に照明効率が高くなる。
【００２８】
この状態から、パネル部２が開かれる場合には、図５に示すように、パネル部２は回転軸２５ａ、２５ｂを中心にして回転していき、図３、図４に示すような状態に向かう。パネル部２の回転にともない、光源支持部３のガイドピン３２ａ、３２ｂは、図５に示すように、ガイドスリット１２ａ、１２ｂに沿ってスライドしていく。なお、これにともないガイドピン２４ａ、２４ｂもまた、ガイドスリット１４ａ、１４ｂに沿ってスライドする。
【００２９】
このように、パネル部２の回転動作にしたがい、光源支持部３のガイドピン３２ａ、３２ｂは、図５に示すように、ガイドスリット１２ａ、１２ｂに沿ってスライドしていく。したがって、パネル部２の開閉を安定的に円滑に行うことができる。
【００３０】
図３、図４に示すように、パネル部２が開かれた状態であるパネル開状態においては、光源支持部３のガイドピン３２ａ、３２ｂは、ガイドスリット１２ａ、１２ｂの下端部に維持される。このとき、光源３１ａ〜３１ｃは、図１、図２に示すパネル閉状態よりも、下方に移動しているが、依然として下を向いている。特に、光源３１ａ〜３１ｃは、壁板１１の孔１１ａ〜１１ｃを介して、収納部１の下内壁に対向する。そして、光源３１ａ〜３１ｃからの直接光Ｒ２はそれぞれ、収納部１内部を側方、下方に進行して、収納部１内部を照明する。
【００３１】
このように、パネル開状態においては、光源３１ａ〜３１ｃは、収納部１の下内壁に近づき、下内壁に対向しているので、収納部１内部を非常に明るく照明することができる。すなわち、パネル開状態においても、非常に照明効率が高くなる。
【００３２】
なお、上例とは逆に、パネル開状態からパネル閉状態に変位するときには、ガイドピンがガイドスリットを逆方向に移動するのみであり、基本的な作用は上例と同様である。
【００３３】
以上のように、本発明の実施形態によれば、照明効率に秀れ且つ均一にパネル照明することができる、収納ボックスを提供することができる。また、共通光源をパネル開閉時に兼用しているので、部品点数削減効果もある。
【００３４】
なお、本発明の収納ボックスは、車両のみならず、室内にも適用可能である。例えば、寝室内の常備灯を兼ねた収納ボックスとしても利用可能である。但し、車室内のインストルメントパネルに埋設することにより、効率的に収納ボックス内部や車室前方を照明できるようになるうえに、高級感のあるイルミネーションとしても利用可能になる。
【００３５】
また、本発明の収納ボックスのパネル部には、例えば、半透明の木目調の化粧板等を装着するようにしてもよい。これにより、より高級感のあるイルミネーションとしての利用が可能になる。また、光源を適宜減光可能にしてもよい。これにより、更に高級感のあるイルミネーションとしての利用が可能になる。また、本発明の収納ボックスの収納部は、例示した形状のみならず、例えば、円筒状箱型であってもよい。本発明は、その主旨の範囲内で変更されたものも含むものである。
【図面の簡単な説明】
【００３６】
【図１】本発明の一実施形態の収納ボックスのパネル閉状態を示す正面図である。
【図２】本発明の一実施形態の収納ボックスのパネル閉状態を示す側面図である。
【図３】本発明の一実施形態の収納ボックスのパネル開状態を示す正面図である。
【図４】本発明の一実施形態の収納ボックスのパネル開状態を示す側面図である。
【図５】パネル部の開閉動作を説明するための側面図である。
【図６】従来のこの種の収納ボックスのパネル閉状態を示す正面図である。
【図７】従来のこの種の収納ボックスのパネル開状態を示す平面図である。
【符号の説明】
【００３７】
１  収納部
２  パネル部
３  光源支持部
３１ａ〜３１ｃ  光源
２１ａ〜２１ｃ  受光部
【図１】
2005297765.tif 000003
【図２】
2005297765.tif 000004
【図３】
2005297765.tif 000005
【図４】
2005297765.tif 000006
【図５】
2005297765.tif 000007
【図６】
2005297765.tif 000008
【図７】
2005297765.tif 000009